(57)【要約】【課題】この発明は、着信を拒否した電話番号の着信拒否履歴を確認することができるようにして、着信拒否登録の見直しができるようにした通信装置を提供する。【解決手段】着信を拒否する電話番号を登録し、着信要求の受信時に、受信した発信者電話番号が着信拒否電話番号である場合、その着信要求を拒否して、着信を拒否した時間や回数などの情報を着信拒否履歴として記憶し、その着信拒否履歴を表示して、着信拒否登録を解除する。【選択図】  図１
2004297114.tif 000002
【特許請求の範囲】
【請求項１】
着信を拒否する電話番号を登録する着信拒否電話番号登録手段と、
該着信拒否電話番号を記憶する着信拒否電話番号記憶手段と、
該着信要求の受信時に、受信した発信者電話番号が前記着信拒否電話番号として記憶されている場合、その着信要求を拒否する着信拒否手段と、
着信拒否電話番号からの着信を拒否した場合、その情報を着信拒否履歴として記憶する着信拒否履歴記憶手段と、
該記憶した着信拒否履歴を表示する着信拒否履歴表示手段と、
該着信拒否履歴から、着信拒否電話番号の着信拒否登録を解除する着信拒否登録解除手段とを備えたことを特徴とする通信装置。
【請求項２】
前記通信装置は携帯型の電話機であることを特徴とする請求項１記載の通信装置。
【請求項３】
通信機能を備えたコンピュータを、
着信を拒否する電話番号を登録する着信拒否電話番号登録手段と、
該着信拒否電話番号を記憶する着信拒否電話番号記憶手段と、
該着信要求の受信時に、受信した発信者電話番号が前記着信拒否電話番号として記憶されている場合、その着信要求を拒否する着信拒否手段と、
着信拒否電話番号からの着信を拒否した場合、その情報を着信拒否履歴として記憶する着信拒否履歴記憶手段と、
該記憶した着信拒否履歴を表示する着信拒否履歴表示手段と、
該着信拒否履歴から、着信拒否電話番号の着信拒否登録を解除する着信拒否登録解除手段として機能させる特徴とする通信装置の着信拒否制御プログラム。
【発明の詳細な説明】
【０００１】
【発明の属する技術分野】
この発明は、着信拒否機能を有する例えば携帯電話機（ＰＨＳ，携帯情報端末含む）などの通信装置に関するものである。
【０００２】
【従来の技術】
近年、電気通信技術の進歩に伴って、携帯電話機などの通信装置が広く普及しており、その一つとして、着信拒否機能を有する携帯電話機がある。このような着信拒否機能付き携帯電話機によれば、接続要求時に発信者側から送信された発信者電話番号を受信したときに、その受信された発信者電話番号が、あらかじめ着信拒否電話番号として登録した電話番号であると、その着信を自動的に拒否するようになっている。このような機能によってユーザは、いたずら電話や間違い電話などの迷惑電話に対処することができるようになっている。
【０００３】
着信拒否電話番号の登録は、従来のものでは、着信拒否登録番号として登録したい所定の電話番号を一旦、メモリダイヤルとして登録し、その後、そのメモリダイヤルとして登録した所定の電話番号を着信拒否として指定することで、その所定の電話番号を着信拒否電話番号として設定する方法や、又、過去に着信した電話番号を着信履歴として記憶し、記憶した着信履歴の中から所定の電話番号を着信拒否電話番号として設定する方法があった。
（特許文献１参照）。
【０００４】
【特許文献１】
特開２０００−２７８４０２号公報
【０００５】
【発明が解決しようとする課題】
しかしながら、例えば、携帯型の通信装置の場合、ハードディスクなどの大容量記憶装置を備えていないため、メモリ容量の問題から記憶できる着信拒否電話番号の件数には限りがあり、メモリが一杯になれば、着信拒否電話番号の中から不要なものを削除するなどして整理しなければならなかった。しかしながら、たくさんある電話番号の中から、どの電話番号を削除すべきかを客観的に判断することは困難であった。
【０００６】
また、着信拒否する必要のない電話番号を間違って着信拒否電話番号として登録してしまう場合もあり、一旦、着信拒否電話番号として登録してしまうと、その後は、自動的に着信拒否されてしまうため、当該着信拒否している相手から別の連絡手段により連絡を貰うか、本人が気付くまで、着信できない状態となっていた。
【０００７】
本発明は、このような事情に鑑みなされたものであって、着信拒否を登録した電話番号について、その電話番号に着信要求があった場合、その着信日時や回数などを着信拒否履歴として保存することで、ユーザが後で、保存した着信拒否履歴を確認することができるようにして、着信拒否登録の見直しができるようにした通信装置を提供することを目的とする。
【０００８】
【課題を解決するための手段】
この発明の第１発明は、上記目的を達成するため、着信を拒否する電話番号を登録する着信拒否電話番号登録手段と、該着信拒否電話番号を記憶する着信拒否電話番号記憶手段と、着信要求の受信時に、受信した発信者電話番号が前記着信拒否電話番号として記憶されている場合、その着信要求を拒否する着信拒否手段と、該着信拒否電話番号からの着信を拒否した場合、着信を拒否した時間や回数などの情報を着信拒否履歴として記憶する着信拒否履歴記憶手段と、該記憶した着信拒否履歴を表示する着信拒否履歴表示手段と、該着信拒否履歴から、所望の着信拒否電話番号の着信拒否登録を解除する着信拒否登録解除手段とを備えたことを特徴とする通信装置である。
【０００９】
この発明の第２発明は、上記第１発明において、前記通信装置は携帯型の電話機であることを特徴とする通信装置である。
【００１０】
この発明の第３発明は、上記目的を達成するため、通信機能を備えたコンピュータを、着信を拒否する電話番号を登録する着信拒否電話番号登録手段と、該着信拒否電話番号を記憶する着信拒否電話番号記憶手段と、該着信要求の受信時に、受信した発信者電話番号が前記着信拒否電話番号として記憶されている場合、その着信要求を拒否する着信拒否手段と、着信拒否電話番号からの着信を拒否した場合、着信を拒否した回数などの情報を着信拒否履歴として記憶する着信拒否履歴記憶手段と、該記憶した着信拒否履歴を表示する着信拒否履歴表示手段と、該着信拒否履歴から、所望の着信拒否電話番号の着信拒否登録を解除する着信拒否登録解除手段として機能させる特徴とする通信装置の着信拒否制御プログラムである。
【００１１】
【発明の実施の形態】
以下、本発明を携帯電話機に適用した一実施例について、図面を参照して説明する。
【００１２】
図１は本発明を適用した携帯電話機１０のブロック構成を示した図である。
【００１３】
図１において、１１は送受信アンテナ、１２は受信機部、１３は送信機部、１４は送信ＩＦ（中間周波数）をＲＦ（無線周波数）に周波数変換し、また、受信ＩＦをベースバンドに周波数変換するためのシンセサイザー、１５は送信／受信の切り替えスイッチ、１６はベースバンド処理部、１７は着信拒否の登録を行う着信拒否登録制御プログラムや着信拒否電話番号からの着信拒否履歴を制御する着信拒否履歴制御プログラムなどの各種制御プログラムを記憶するプログラム記憶部、１８は不揮発性メモリで、着信拒否電話番号を記憶する着信拒否電話番号記憶部１８ａ，着信拒否電話番号の着信履歴を記憶する着信拒否履歴記憶部１８ｂ，電話帳データ記憶部１８ｃ，着信拒否電話番号を除いた電話番号からの着信履歴を記憶する一般着信履歴記憶部１８ｄを備える。
【００１４】
１９は受話用マイク、２０は送話用スピーカ、２１は着信メロディ用スピーカ、２２はＬＣＤ，有機ＥＬなどからなる表示部、２３は英数字キー，ファンクションキーなどからなる操作部、２４は図示しない内部バッテリーの充電回路、２５は前記各部を制御するＣＰＵである。
【００１５】
次に、着信拒否登録処理、着信拒否電話番号からの着信処理、着信拒否履歴表示処理、及び、着信拒否登録解除処理時の各動作を図２乃至図５のフローチャートに基づいて説明する。
【００１６】
図２は、着信拒否電話番号の登録処理の動作フローを示したフローチャート図である。
【００１７】
着信拒否したい電話番号がある場合、ユーザは携帯電話機１０の着信拒否登録機能を立ち上げて、着信拒否電話番号の登録を行う。着信拒否電話番号の入力は、操作部２３から電話番号を直接入力する方法の他、電話帳データ記憶部１８ｃに記憶された電話帳リスト上の電話番号から登録する方法、一般着信履歴記憶部１８ｄに記憶された着信履歴リスト上の電話番号から登録することもできる。
【００１８】
操作部２３から電話番号が直接入力され（ステップ２１、以下、ステップをＳと称する、図面において同じ）、ユーザより入力した電話番号の確認情報が入力されと（Ｓ２２）、入力された電話番号を着信拒否電話番号記憶部１８ａに記憶して（Ｓ２３）、表示部２２に登録完了のメッセージを表示する（Ｓ２４）。他に着信拒否登録したい電話番号がある場合は続けて登録を行う（Ｓ２５）。
【００１９】
次に、上述のようにして着信拒否登録した電話番号から着信があった場合の動作を図３のフローチャートに基づいて、説明する。
【００２０】
携帯電話機１０は、発信者側から送信された発信者電話番号を受信すると、その受信した発信者電話番号が、上述した着信拒否電話番号記憶部１８ａに着信拒否電話番号として記憶された電話番号であるか否かを検索し（Ｓ３１）、登録した着信拒否電話番号である場合は（Ｓ３２）、着信拒否履歴記憶部１８ｂに、該電話番号と着信日時と着信回数（例えば、過去一週間の着信回数）を記憶する（Ｓ３３）。次に網側に切断要求を送信する（Ｓ３４）。
【００２１】
他方、着信拒否電話番号でない場合は（Ｓ３２）、発信者電話番号に基づいて、電話帳データ記憶部１８ｃに記憶された電話帳データを検索し（Ｓ３５）、一致する電話番号がある場合は（Ｓ３６）、該電話番号に対応付けられて記憶された発信者名を表示部２２に表示する（Ｓ３７）。
【００２２】
他方、一致しない場合は（Ｓ３６）、発信者側から送信された発信者電話番号を表示部２２に表示する（Ｓ３８）。そして、通常の着信処理に基いて、呼出音を着信スピーカ２１から出力する。
【００２３】
このように着信拒否登録した電話番号から接続要求があっても、呼出音が鳴ることはなく、接続要求は拒否される。但し、接続要求した電話番号について着信拒否履歴が残るので、ユーザは後で、この着信拒否履歴を見て、どこから接続要求があったかを確認することができる。
【００２４】
次に図４のフローチャートを参照して、前記着信拒否履歴の表示動作について説明する。
【００２５】
携帯電話機１０の操作部２３を操作して、着信拒否履歴の表示を選択すると共に、表示モードを選択する（Ｓ４１）。着信拒否履歴の表示モードには、着信回数の多い順に表示するランキング表示と、時系列順に最新の情報から表示する通常表示があり、ランキング表示の場合は（Ｓ４２）、着信拒否履歴を着信拒否電話番号毎に着信回数をキーに検索して、該着信拒否履歴を着信回数順に並べて表示部２２に表示する（Ｓ４３）。
【００２６】
スクロールボタンが押された場合は（Ｓ４４）、ページを更新して表示する（Ｓ４５）。着信拒否電話番号の登録解除ボタンが押された場合は（Ｓ４４）、選択した電話番号の着信拒否登録が解除される（Ｓ４６）。
【００２７】
表示モードが通常表示モードの場合は（Ｓ４２）、着信拒否履歴を日時をキーに検索し（Ｓ４７）、着信拒否履歴を時系列順にリスト表示する（Ｓ４８）。スクロールボタンが押された場合は（Ｓ４９）、ページを更新して表示する（Ｓ５０）。着信拒否電話番号の登録解除ボタンが押された場合は（Ｓ４９）、選択された電話番号の着信拒否登録が解除される（Ｓ４６）。
【００２８】
次に図５のフローチャートに基いて、上記着信拒否登録の解除動作について説明する。
【００２９】
前記着信拒否履歴が表示された状態で、着信拒否電話番号の解除ボタンが押されると、解除する着信拒否電話番号の選択を促すメッセージが表示される（Ｓ５１）。登録解除する電話番号の選択は、カーソルにより選択する。尚、着信拒否電話番号の解除は、電話帳表示画面又は着信拒否履歴表示画面からも行うことができる。
【００３０】
解除する着信拒否電話番号を選択した後、確認入力を行うと（Ｓ５２）、選択した電話番号を着信拒否電話番号記憶部１８ａより削除する（Ｓ５３）。次に、削除した電話番号の着信拒否履歴情報を着信拒否履歴記憶部１８ｂから削除して（Ｓ５４）、着信拒否登録の解除完了メッセージを表示部２２に表示する（Ｓ５５）。
【００３１】
続けて、着信拒否電話番号の解除が選択した場合は（Ｓ５６）、上述と同様に解除処理を行うことができる。
【００３２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００３３】
【発明の効果】
以上説明したように、この発明によれば、着信を拒否した電話番号の着信拒否履歴を確認することができるようにして、着信拒否登録の見直しができるようにした通信装置を提供することを目的とする。
【図面の簡単な説明】
【図１】この発明を適用した携帯電話機１０のブロック構成を示した図である。
【図２】この発明を適用した携帯電話機１０で着信拒否電話番号を登録する際の動作を示したフローチャートである。
【図３】この発明を適用した携帯電話機１０で登録した着信拒否電話番号から着信があった際にその着信拒否履歴を記憶する動作を示したフローチャートである。
【図４】この発明を適用した携帯電話機１０で登録した着信拒否電話番号に対する着信履歴を表示する時の動作を示したフローチャートである。
【図５】この発明を適用した携帯電話機１０で登録した着信拒否電話番号を解除する時の動作を示したフローチャートである。
【符号の説明】
１０  携帯電話機
１１  受信アンテナ
１２  受信機部
１３  送信機部
１４  シンセサイザー
１５  切り替えスイッチ
１６  ベースバンド処理部
１７  プログラム記憶部
１８  不揮発性メモリ
１８ａ  着信拒否電話番号記憶部
１８ｂ  着信拒否履歴記憶部
１８ｃ  電話帳データ記憶部
１８ｄ  一般着信履歴記憶部
１９  受話用マイク
２０  送話用スピーカ
２１  着信メロディ用スピーカ
２２  表示部
２３  操作部
２４  充電回路
２５  ＣＰＵ
【図１】
2004297114.tif 000003
【図２】
2004297114.tif 000004
【図３】
2004297114.tif 000005
【図４】
2004297114.tif 000006
【図５】
2004297114.tif 000007